(57)【要約】【課題】雨水が上側を飛び越えて外部に飛散することを抑制できる飾り板を提供すること。【解決手段】飾り板１を、一方側軒樋の端部と、他方側軒樋において該端部の延在方向に対して傾斜する方向に延在する端部を接続する内曲継手の外側上端部に取り付ける。飾り板１が、内曲継手側から鉛直方向の上方側に延在するように配置される側壁１５と、側壁１５の上縁部に繋がってその上縁部に沿うように延在すると共に、内側に折れ曲がる水返し３３を備えるようにする。上側に跳ね上がった雨水の一部を水返し３３で下側に跳ね返すことで、雨水が上側を飛び越えて外部に飛散することを抑制する。【選択図】図２
2019190152.tif 000002
【特許請求の範囲】
【請求項１】
一方側軒樋の端部と、他方側軒樋において前記端部の延在方向に対して傾斜する方向に延在する端部とを接続する屈曲継手の外側上端部に取り付ける飾り板であって、
屈曲継手側から鉛直方向の上方側に延在するように配置される側壁と、
前記側壁の上縁部に繋がって前記上縁部に沿うように延在すると共に、内側に折れ曲がる水返しと、
を備える、飾り板。
【請求項２】
前記側壁は、平板状の第１壁部と、前記第１壁部の縁部に繋がると共に前記第１壁部の延在方向に交差する方向に延在する平板状の第２壁部を有し、
前記第１壁部及び前記第２壁部の夫々は、前記縁部から離れるにしたがって高さが徐々に低くなる傾斜部を含み、
前記水返しが繋がる前記上縁部は、前記第１壁部の前記傾斜部の上縁部と前記第２壁部の前記傾斜部の上縁部とを含む、請求項１に記載の飾り板。
【発明の詳細な説明】
【技術分野】
【０００１】
本開示は、異なる軒樋を接続する継手に取り付ける飾り板に関する。
【背景技術】
【０００２】
従来、飾り板としては、特許文献１に記載されているものがある。この飾り板は、建物の入隅に沿うように配置される内曲継手の外側上部に設置される。詳しくは、建物の入隅は、第１側壁部と、この第１側壁部に略直交する第２側壁部とで構成され、建物は、第１側壁部上側からその法線方向かつ鉛直方向下側に斜めに突出する部分を有する第１屋根と、第２側壁部上側からその法線方向かつ鉛直方向下側に斜めに突出する部分を有する第２屋根を含む。また、建物は、更に、第１屋根の軒先に沿うように配置される第１軒樋と、第２屋根の軒先に沿うように配置される第２軒樋を含む。第１軒樋と、第２軒樋は、略直交し、内曲継手は、互いに直交する第１軒樋と第２軒樋を接続する。
【０００３】
第１屋根と第２屋根は、互いに隣接し、第１屋根と、第２屋根の連設位置には、入隅まで傾斜する谷部が設けられる。このため、雨水は、谷部に集められ、内部に沿って入隅側に流下する。飾り板は、入隅側に流下する雨水が内曲継手を飛び越えて外側に飛散することを抑制する。飾り板は、内曲継手の外側上部に設置され、内曲継手を飛び越えて外側に飛散しようとする雨水を内曲継手側に跳ね返し、その雨水を内曲継手が画定する溝内に案内する。このため、内曲継手を飛び越える雨水が、飾り板によって低減される。
【先行技術文献】
【特許文献】
【０００４】
【特許文献１】特開２００７−３２１８６号公報
【発明の概要】
【発明が解決しようとする課題】
【０００５】
雨が激しく降ると、雨が谷部に沿って勢いよく流下する。そのような場合、雨水が、飾り板の壁部に勢いよく衝突することで上側に跳ね上がって飾り板を飛び越えて外側に飛散することがある。
【０００６】
そこで、本開示の目的は、雨水が上側を飛び越えて外部に飛散することを抑制できる飾り板を提供することにある。
【課題を解決するための手段】
【０００７】
上記課題を解決するため、本開示に係る飾り板は、一方側軒樋の端部と、他方側軒樋において端部の延在方向に対して傾斜する方向に延在する端部とを接続する屈曲継手の外側上端部に取り付ける飾り板であって、屈曲継手側から鉛直方向の上方側に延在するように配置される側壁と、側壁の上縁部に繋がって上縁部に沿うように延在すると共に、内側に折れ曲がる水返しと、を備える。
【発明の効果】
【０００８】
本開示に係る飾り板によれば、上側に跳ね上がった雨水の一部を水返しで下側に跳ね返すことができる。よって、雨水が上側を飛び越えて外部に飛散することを抑制できる。
【図面の簡単な説明】
【０００９】
【図１】内曲継手に設置された本開示の一実施形態に係る飾り板の取付部周辺の斜視図である。
【図２】上記飾り板の斜視図である。
【図３】建物の屋根を上側から見たときの平面図である。
【図４】上記建物において一角部を構成する第１及び第２屋根の隣接部周辺の斜視図である。
【図５】建物の入隅の周辺構造の一部を表す斜視図であり、図３において、その一部を、矢印Ａで示す方向から見たときの斜視図である。
【図６】止水部材取付前の上記飾り板本体を、止水部材取付側の外方から見たときの斜視図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さの寸法比は、必ずしも一致しない。また、以下の説明で、鉛直方向に関連する方向に関する文言、例えば、鉛直方向、水平方向、上側、下側、上方、下方等が用いられた場合、その方向は、飾り板１が、所定位置に位置する内曲継手８０の所定位置に設置された状態での方向を示す。
【００１１】
図１は、内曲継手８０に取り付けられた本開示の一実施形態に係る飾り板１の取付部周辺の斜視図であり、図２は、飾り板１の斜視図である。内曲継手８０は、屈曲継手の一例である。また、図１において、参照番号７は、内曲継手８０の建物側の内側壁部における建物側の外面を示す。また、参照番号８は、内曲継手８０の建物側とは反対側の外側壁部における内面を示し、その内面は、内曲継手８０が画定する溝８５の一部を構成する。また、本実施例では、一方側軒樋６０と、他方側軒樋７０が、互いに略直交する方向に延在する場合について説明する。しかし、一方側軒樋と、他方側軒樋は、９０°でない角度で互いに交差する方向に延在してもよい。
【００１２】
図１に示すように、内曲継手８０は、直線状に延在する一方側軒樋６０の端部と、一方側軒樋６０に直交する方向に延在する他方側軒樋７０の端部を接続し、飾り板１は、内曲継手８０の角部上側に設置される。内曲継手は、多種多様存在し、内曲継手８０は、それらのうちのいずれの内曲継手であってもよい。例えば、内曲継手８０は、互いに異なる方向に延在する２つの樋を接続可能であればよく、例えば、内曲継手８０は、内継手と外継手の両方を備えてもよく、内継手及び外継手のいずれか一方のみを備えてもよい。ここで、内継手は、一方側軒樋の内面に設置される内側第１部分と他方側軒樋の内面に設置される内側第２部分とを有して、一方側軒樋の内面と他方側軒樋の内面との間（継ぎ部）を内側から覆うように沿設されるものである。また、外継手は、一方側軒樋の外面に設置される外側第１部分と他方側軒樋の外面に設置される外側第２部分とを有して、一方側軒樋の外面と他方側軒樋の外面との間（継ぎ部）を外側から覆うように沿設されるものである。
【００１３】
内曲継手８０は、次に説明する建物の特定箇所に配置される。図３は、建物９０の屋根９１を上側から見たときの平面図である。図３に示すように、建物９０は、平面視において互いに相まって屋根９１の角部を構成する第１屋根９２と第２屋根９３を含む。第１屋根９２と、第２屋根９３は、平面図において、角部の隅から略４５°に傾斜する傾斜部を境に互いに隣接する。
【００１４】
図４は、建物９０における第１及び第２屋根９２,９３の周辺部分の斜視図である。図４に示すように、第１屋根９２は、建物９０に入隅を形成する２つの壁部９５,９６のうちの一方の壁部９５から突出するまで下側に傾斜して延び、第２屋根９３は、他方の壁部９６から突出するまで下側に傾斜して延びる。第１屋根９２の隣接縁と、第２屋根９３の隣接縁は、連設され、第１屋根９２と、第２屋根９３の連設位置には、入隅まで傾斜する谷部９７が形成される。その結果、雨水の一部は、第１屋根９２の上面を矢印ａで示す鉛直方向下側に流れた後、谷部９７に到達し、その後、矢印ｃで示すように谷部９７の谷筋に沿うように入隅側に流下する。また、同様に、雨水の他の一部は、第２屋根９３の上面を矢印ｂで示す鉛直方向下側に流れた後、谷部９７に到達し、その後、矢印ｃで示すように谷部９７の谷筋に沿うように入隅側に流下する。谷部９７を谷筋に沿って流下する雨水は、第１屋根９２を流れる雨水の一部と第２屋根９３を流れる雨水の一部が合流して生成される雨水であるので、その水量は大きい。
【００１５】
図５は、建物９０の入隅の周辺構造の一部を表す斜視図であり、図３において、その一部を、矢印Ａで示す方向から見たときの斜視図である。なお、図５においては、内曲継手８０を模式的に図示している。図５に示すように、一方側軒樋６０は、第１屋根９２の軒先に沿うように配置され、他方側軒樋７０は、第２屋根９３の軒先に沿うように配置される。また、内曲継手８０は、一方側軒樋６０の入隅（角部）側の端部と、他方側軒樋７０の入隅側の端部とを接続するように入隅に配置される。図２に示す飾り板１は、図５に斜線で示す内曲継手８０の外側上端部８３に取り付けられる。図２に示すように、飾り板１は、高さ方向に延在する側壁１５と、側壁１５の建物側の面に取り付けられる止水部材４０を備える。図１に示すように、飾り板１は、止水部材４０の一部が、内曲継手８０が画定する溝８５内に配置されるように外側上端部８３（図５参照）に取り付けられる。なお、詳述しないが、図５に示すように、谷部９７には、谷樋９９が設けられてもよい。
【００１６】
次に、飾り板１の構造と、内曲継手８０に対する飾り板の取付構造について詳細に説明する。図２に示すように、飾り板１は、一体に構成される飾り板本体１０と、止水部材４０を備える。飾り板本体１０は、側壁１５を有し、側壁１５は、互いに直交する板状の第１壁部１７と板状の第２壁部１８を含む。第１及び第２壁部１７,１８の夫々は、溝側面（溝８５側の面）１７ａ,１８ａを有し、溝側面１７ａ,１８ａは、角部を除いて略直角三角形の形状を有する。第１壁部１７の高さ方向に延在する高さ方向延在縁部１７ｂは、第２壁部１８の高さ方向に延在する高さ方向延在縁部１８ｂに一致する。換言すると、第１壁部１７と第２壁部１８は、同じ縁部（以下、共有縁部という）２５を共有する。
【００１７】
飾り板本体１０は、更に、第１載置部２７、第２載置部２８、水返し３３、複数の第１取付部４７、及び複数の第２取付部４８を備え、水返し３３は、第１水返し３７と、第２水返し３８を含む。第１載置部２７は、第１壁部１７の下側に位置し、第１壁部１７の下縁部に沿うように延在する。第１載置部２７は、第１壁部１７の下縁部を起点として第１壁部１７に対して略垂直に折り曲げられた部分であり、水平方向に延在する。また、同様に、第２載置部２８は、第２壁部１８の下側に位置し、第２壁部１８の下縁部に沿うように延在する。第２載置部２８は、第２壁部１８の下縁部を起点として第２壁部１８に対して略垂直に折り曲げられた部分であり、水平方向に延在する。
【００１８】
第１水返し３７は、第１壁部１７の上側に位置し、第１壁部１７の上縁部に沿うように延在する。第１水返し３７は、第１壁部１７の上縁部を起点として第１壁部１７に対して内側に略１８０°折り返された部分である。第１水返し３７は、第１壁部１７の上縁部に沿って延在する第１溝５７を画定し、第１溝５７は、下側に開口する。第１壁部１７は、共有縁部２５から離れるにしたがって高さが徐々に低くなる傾斜部１７ｃを含み、第１水返し３７も、共有縁部２５から離れるにしたがって形成箇所の高さが徐々に低くなる部分を含む。
【００１９】
第２水返し３８は、第２壁部１８の上側に位置し、第２壁部１８の上縁部に沿うように延在する。共有縁部２５の上側には、切欠き６２が存在し、その結果、第２水返し３８は、第１水返し３７に対して間隔をおいて配置される。第２水返し３８は、第２壁部１８の上縁部を起点として第２壁部１８に対して内側に略１８０°折り返された部分である。第２水返し３８は、第２壁部１８の上縁部に沿って延在する第２溝５８を画定し、第２溝５８は下側に開口する。第２壁部１８は、共有縁部２５から離れるにしたがって高さが徐々に低くなる傾斜部１８ｃを含み、第２水返し３８も、共有縁部２５から離れるにしたがって形成箇所の高さが徐々に低くなる部分を含む。水返し３３が繋がる側壁１５の上縁部は、第１壁部１７の傾斜部１７ｃの上縁部と第２壁部１８の傾斜部１８ｃの上縁部を含む。
【００２０】
複数の第１取付部４７は、第１載置部２７の延在方向に間隔をおいた状態で第１載置部２７の下側に設けられる。第１取付部４７は、第１載置部２７の下面と相俟って断面略Ｕ字状の第１凹部４５を画定し、第１凹部４５は、第１載置部２７の延在方向の両側が開口すると共に、第１壁部１７の法線方向の外側（建物側とは反対側）が開口する。
【００２１】
複数の第２取付部４８は、第２載置部２８の延在方向に間隔をおいた状態で第２載置部２８の下側に設けられる。第２取付部４８は、第２載置部２８の下面と相俟って断面略Ｕ字状の第２凹部を画定し、第２凹部は、第２載置部２８の延在方向の両側が開口すると共に、第２壁部１８の法線方向の外側が開口する。
【００２２】
次に、内曲継手８０に対する飾り板１の取付構造について説明する。図２を参照して、先ず、板状の第１載置部２７の下面３２に接着剤を塗布すると共に、板状の第２載置部２８の下面３４に接着剤を塗布する。また、図５を参照して、斜線で示す外側上端部８３の上面８８における屋根側縁部の周辺領域にも接着剤を塗布する。続いて、図２及び図５を参照して、第１凹部４５（図２参照）を、内曲継手８０（図５参照）の外側上端部８３において他方側軒樋７０の延在方向と同じ方向に延在している部分の内側に位置する内側突出部８４に嵌め込む。また、上記第２凹部を、内曲継手８０の外側上端部８３において一方側軒樋６０の延在方向と同じ方向に延在している部分の内側に位置する内側突出部８６に嵌め込む。これらの嵌め込みによって、第１及び第２取付部４７,４８が内側突出部８４,８６に固定されると共に、第１及び第２載置部２７,２８の下面が外側上端部８３の上面８８に接着剤で固定され、その結果、飾り板１が、内曲継手８０に取り付けられる。本実施例では、飾り板１が内曲継手８０に取り付けられた状態で、側壁１５（図２参照）が鉛直方向に延在する。なお、飾り板本体１０が、第１及び第２取付部４７,４８を有する場合について説明したが、飾り板本体は、取付部を有さなくてもよい。
【００２３】
再度、図２を参照して、止水部材４０は、第１壁取付部４１、第２壁取付部４２、水平方向延在部４３、及び切欠被覆部４６を含む。水平方向延在部４３は、板状部であり、水平方向に広がる。水平方向延在部４３は、第１載置部２７の上面に載置される部分と、第２載置部２８の上面に載置される部分を含む。水平方向延在部４３は、２つの平面部が略直交する形状の端面を有する直交縁部５９を有する。
【００２４】
第１壁取付部４１は、板状部であり、直交縁部５９の一方側平面部の上側から鉛直方向上側に延在する。また、第２壁取付部４２は、板状部であり、直交縁部５９の他方側平面部の上側から鉛直方向上側に延在する。止水部材４０は、例えば、水漏れ防止用のゲル状のシリコン（図示せず）と、リベット５５を用いて飾り板本体１０に取り付けられる。詳しくは、第１壁取付部４１と第１壁部１７の間、第２壁取付部４２と第２壁部１８の間、及び水平方向延在部４３の下面と第１及び第２載置部２７,２８の上面の間に、水漏れ防止用のゲル状のシリコンを充填する。そして、この状態で、第１壁取付部４１を第１壁部１７にリベット５５で固定すると共に、第２壁取付部４２を第２壁部１８にリベット５５で固定すると、止水部材４０が飾り板本体１０に固定される。
【００２５】
切欠被覆部４６は、板状部であり、水平方向延在部４３の内側縁部（建物側の縁部）から鉛直方向下方側に延在する。図１を参照して、本実施例では、止水部材４０が飾り板本体１０に固定された状態で、第１及び第２壁取付部４１,４２と、切欠被覆部４６は、鉛直方向に延在する。切欠被覆部４６は、屋根の角部側から見たとき、略二等辺三角形の形状を有する。しかし、止水部材が飾り板本体に固定された状態で、第１及び第２壁取付部と、切欠被覆部とのうちの少なくとも一方は、鉛直方向に傾斜する方向に延在してもよい。切欠被覆部４６は、内曲継手８０が画定する溝８５内に配置されると共に略平板形状を有する溝挿入部７９を含む。溝挿入部７９は、切欠被覆部４６の下側の大部分で構成される。溝挿入部７９は、溝８５の深さ方向の底側に行くにしたがって水平方向の幅が狭くなる先細り形状を有する。
【００２６】
図６は、止水部材４０の取付前の飾り板本体１０を、止水部材取付側の外方から見たときの斜視図である。図６に示すように、飾り板本体１０は、一枚の板金を曲げ加工して形成される。飾り板本体１０を一枚の板金の曲げ加工で形成することで、飾り板本体１０を簡単安価に形成できる。飾り板本体１０では、第１載置部２７が互いに直交する２つの第１及び第２壁部１７,１８のうちの一方の第１壁部１７の下縁部に第１壁部１７に直交するように接続され、第２載置部２８が他方の第２壁部１８の下縁部に第２壁部１８に直交するように接続される。よって、飾り板本体１０は、一枚の板金を曲げ加工して形成されるので、切欠き６１が、第１載置部２７と第２載置部２８の間に生じる。
【００２７】
図２及び図６を参照して、切欠被覆部４６は、切欠き６１を内側から覆う位置に配置され、切欠き６１は、飾り板１を止水部材４０側の正面から見たとき切欠被覆部４６によって視認不可能になる。切欠き６１の屋根側の開口を止水部材４０で覆うことで、谷部９７に沿って流下した雨水が、その開口を経由して外部に漏れることを抑制できる。したがって、雨水を樋に効率的に収容でき、竪樋を介して排水管等に効率的に排水できる。また、切欠き６１が止水部材４０で覆われるので、切欠き６１が視認しにくくなる。よって、飾り板１を美観に優れるものにできる。なお、図２に示すように、本実施例では、飾り板１は、共有縁部２５と、切欠被覆部４６の先端を含む平面に対して略面対称になっている。しかし、飾り板は、それを略面対称にできる平面が存在しない構造であってもよい。
【００２８】
以上、飾り板１は、一方側軒樋６０の端部と、他方側軒樋７０において該端部の延在方向に対して傾斜する方向に延在する端部とを接続する内曲継手８０の外側上端部に取り付けられる。また、飾り板１は、内曲継手８０側から鉛直方向の上方側に延在するように配置される側壁１５と、側壁１５の上縁部に繋がってその上縁部に沿うように延在すると共に、内側に折れ曲がる水返し３３を備える。
【００２９】
したがって、雨が激しく降って、雨が谷部９７に沿って勢いよく流下して、雨水が、飾り板１の壁部に勢いよく衝突することで上側に跳ね上がっても、跳ね上がった雨水の大部分を水返し３３で下側に跳ね返すことができる。よって、下側に跳ね返した雨水を、内曲継手８０が画定する溝８５内に案内でき、内曲継手８０を飛び越える雨水を低減できる。
【００３０】
また、側壁１５は、平板状の第１壁部１７と、第１壁部１７の高さ方向延在縁部１７ｂ（共有縁部２５）に繋がると共に第１壁部１７の延在方向に交差する方向に延在する平板状の第２壁部１８を有してもよい。また、第１及び第２壁部１７,１８の夫々は、共有縁部２５から離れるにしたがって高さが徐々に低くなる傾斜部１７ｃ,１８ｃを含んでもよい。そして、水返し３３が繋がる上縁部は、第１壁部１７の傾斜部１７ｃの上縁部と第２壁部１８の傾斜部１８ｃの上縁部とを含んでもよい。
【００３１】
本構成によれば、第１及び第２壁部１７,１８の夫々が、共有縁部２５から離れるにしたがって高さが徐々に低くなる傾斜部１７ｃ,１８ｃを含むので、第１及び第２壁部１７,１８の材料費を低減でき、飾り板１の製造コストを低減できる。
【００３２】
また、第１及び第２壁部１７,１８の夫々が、そのような傾斜部１７ｃ,１８ｃを含むので、飾り板１のデザインをスタイリッシュなものにでき、飾り板１の美観を優れたものにできる。
【００３３】
更には、一般的に、高さが共有縁部から離れるにしたがって徐々に低くなる傾斜部が存在すると、高さが低い箇所が生成されるため、雨水が飾り板を飛び越え易くなる。しかし、本構成によれば、飾り板１が、水返し３３を備えるので、その水返し３３で飛び上がった雨水を下側に跳ね返すことができる。よって、雨水の飾り板飛び越えの抑制効果を、顕著なものにできる。
【００３４】
なお、本開示は、上記実施形態およびその変形例に限定されるものではなく、本願の特許請求の範囲に記載された事項およびその均等な範囲において種々の改良や変更が可能である。
【００３５】
例えば、上記実施形態では、飾り板１が、止水部材４０を備える場合について説明したが、飾り板は、止水部材を備えなくてもよく、飾り板は、例えば、図６に示す飾り板本体１０であってもよい。
【００３６】
また、第１及び第２壁部１７,１８が、共有縁部２５から離れるにしたがって高さが低くなる傾斜部１７ｃ,１８ｃを有し、水返し３３が、傾斜部１７ｃ,１８ｃの上縁部に沿うように傾斜する場合について説明した。しかし、第１及び第２壁部は、共有縁から離れるにしたがって高さが低くなる傾斜部を有さなくてもよく、水返しも、共有縁から離れるにしたがって高さが低くなる傾斜部を有さなくてもよい。
【００３７】
また、飾り板本体１０を、一枚の板金を折り曲げ加工することで形成し、水返し３３を、板金の一部を内側に折り返すことで形成する場合について説明した。しかし、水返しは、飾り板の側壁の上縁部に溶接等により接合することで形成されてもよい。
【００３８】
また、水返し３３が、第１水返し３７と、第２水返し３８を備え、第１水返し３７と、第２水返し３８が間隔をおいて配置される場合について説明した、しかし、水返しは、側壁の上縁部の略全てに沿うように連続的に設けられてもよい。
【符号の説明】
【００３９】
１  飾り板、  １０  飾り板本体、  １５  側壁、  １７  第１壁部、  １７ｂ  第１壁部の高さ方向延在縁部、  １８  第２壁部、  １８ｂ  第２壁部の高さ方向延在縁部、  ２５  共有縁部、  ３３  水返し、  ３７  第１水返し、  ３８  第２水返し、  ６０  一方側軒樋、  ７０  他方側軒樋、  ８０  内曲継手。
【図１】
2019190152.tif 000003
【図２】
2019190152.tif 000004
【図３】
2019190152.tif 000005
【図４】
2019190152.tif 000006
【図５】
2019190152.tif 000007
【図６】
2019190152.tif 000008